(57)【要約】【課題】従来用いていた据付板固定用の専用のネジは用いずに、部品点数の削減を図り、コストダウンを図ること、また、据付板固定用のネジは、空調室内機に使用されるネジを用いることで、ネジの廃棄をしないようにすること。更には予め固定用のネジを据付板側に装着しておくことで、製造工程（製造ライン）でのネジ固定作業を廃止し、作業工数の削減を図ってコストダウン化を図ること。【解決手段】据付板１には、他に使用用途が決まっているネジ５を予め装着しておく。室内ユニット２０の底フレーム１０には、所定の間隔毎に複数のリブ１１を設けておく。梱包時には据付板１を室内ユニット２０側に取り付けると、ネジ５がリブ１１とリブ１１の間に挿入され、据付板１の左右方向の移動を規制することができる。【選択図】図６
2008106963.tif 000002
【特許請求の範囲】
【請求項１】
壁面などに固定される据付板（１）と、この据付板（１）の前面側に装着される室内ユニット（２０）とで構成される空調室内機であって、梱包時には室内ユニット（２０）に据付板（１）が仮固定されて同梱される空調室内機において、前記据付板（１）に突起を設けると共に、この突起が挿入される受け溝を前記室内ユニット（２０）側に設けていることを特徴とする空調室内機。
【請求項２】
前記据付板（１）は、室内ユニット（２０）の長手方向への移動が規制されるように仮固定されていることを特徴とする請求項１に記載の空調室内機。
【請求項３】
前記突起は着脱可能なネジ（５）としていることを特徴とする請求項１または請求項２に記載の空調室内機。
【請求項４】
前記ネジ（５）は、リモコンのホルダーを壁や柱へ固定するためのネジ、あるいは前記据付板（１）に室内ユニット（２０）を固定するためのネジなどのように空調室内機にとって必要な部品としてのネジを用いていることを特徴とする請求項３に記載の空調室内機。
【請求項５】
前記ネジ（５）は、梱包前に主たる組立ラインとは別の工程で予め据付板（１）に取り付けられていることを特徴とする請求項４に記載の空調室内機。
【請求項６】
前記受け溝は、複数のリブ（１１）の間で構成していることを特徴とする請求項１〜請求項５のいずれかに記載の空調室内機。
【発明の詳細な説明】
【技術分野】
【０００１】
本発明は、空調室内機に関するものであり、より詳しくは室内ユニットと据付板とより成る空調室内機において、梱包時における据付板の室内ユニットに対する仮固定構造に関するものである。
【背景技術】
【０００２】
空気調和機は室外機と室内機とで構成されており、室内機は、室内ユニットと、これを室内壁面に据付けるための据付板を有している。板状の偏平な据付板は一般的には鋼板で構成されていて、据付板は壁や柱にネジ止めされて固定される。そして、室内ユニットの背面に形成されている係止爪やフック等を据付板に係止することで、室内ユニットが据付板に設置されることになる。このような空調室内機において、室内ユニットの取付作業性の向上を図ろうとする従来例としては、例えば特許文献１〜４が挙げることができる。
【０００３】
これらの特許文献１〜４に開示されている空調室内機において、通常は、据付板は室内ユニットの背面側にネジで固定して梱包し、据付板が室内ユニットに対して左右方向（室内ユニットの長手方向）に動くのを規制しつつ輸送している。つまり、梱包状態で落下した時に衝撃で据付板がずれて室内ユニット（製品本体）に傷、割れ、破損等の問題が生じる恐れがあるために、据付板を室内ユニット側にネジで仮固定しておく必要があるのである。
【特許文献１】特開２００２−２１３７７０号公報
【特許文献２】特開２００３−１０６５５９号公報
【特許文献３】特開２００４−５３１０４号公報
【特許文献４】特開２００４−３１７０１７号公報
【発明の開示】
【発明が解決しようとする課題】
【０００４】
従来ではこの据付板を室内ユニットに固定（仮固定）するためのネジは、据付板固定のための専用のネジを用いていたため、ネジの部品代が余計にかかるという問題があった。しかも、据付板の固定用に使用したネジは製品（室内ユニット）を設置した後は不要となり、廃棄していた。また、専用のネジを用いていることで、ネジの種類が増加し、在庫管理が煩雑になる上に、製造工程において、ネジの種類を間違いのないように見極めてネジ止めをする必要があり、全体としての組立作業性も劣るという問題もある。
【０００５】
この発明は上記従来の問題点を解決するためになされたものであって、少なくとも以下の目的を持った空調室内機を提供しようとするものである。
（１）従来用いていた据付板固定用の専用のネジは用いずに、部品点数の削減を図り、コストダウンを図ること。
（２）据付板固定用のネジは、空調室内機に使用されるネジを用いることで、ネジの廃棄をしないようにすること。
（３）主たる組立ラインとは異なる別の場所で、予め固定用のネジを据付板側に装着しておくことで、製造工程（製造ライン）でのネジ固定作業を廃止し、作業工数の削減を図ってコストダウン化を図ること。
【課題を解決するための手段】
【０００６】
そこで、本発明の請求項１に記載の空調室内機では、壁面などに固定される据付板１と、この据付板１の前面側に装着される室内ユニット２０とで構成される空調室内機であって、梱包時には室内ユニット２０に据付板１が仮固定されて同梱される空調室内機において、前記据付板１に突起を設けると共に、この突起が挿入される受け溝を前記室内ユニット２０側に設けていることを特徴としている。
【０００７】
請求項２に記載の空調室内機では、前記据付板１は、室内ユニット２０の長手方向への移動が規制されるように仮固定されていることを特徴としている。
【０００８】
請求項３に記載の空調室内機では、前記突起は着脱可能なネジ５としていることを特徴としている。
【０００９】
請求項４に記載の空調室内機では、前記ネジ５は、リモコンのホルダーを壁や柱へ固定するためのネジ、あるいは前記据付板１に室内ユニット２０を固定するためのネジなどのように空調室内機にとって必要な部品としてのネジを用いていることを特徴としている。
【００１０】
請求項５に記載の空調室内機では、前記ネジ５は、梱包前に主たる組立ラインとは別の工程で予め据付板１に取り付けられていることを特徴としている。
【００１１】
請求項６に記載の空調室内機では、前記受け溝は、複数のリブ１１の間で構成していることを特徴としている。
【発明の効果】
【００１２】
本発明の請求項１に記載の空調室内機によれば、前記据付板１に突起を設けると共に、この突起が挿入される受け溝を前記室内ユニット２０側に設けているので、据付板１の突起が室内ユニット２０側の受け溝に挿入されていて据付板１の仮固定ができ、そのため、梱包後の輸送時において、据付板１のずれを防止でき、梱包状態で落下した場合でも据付板１のずれを抑制できるので、室内ユニット２０側に傷、割れ、破損を防止することができる。
【００１３】
請求項２に記載の空調室内機によれば、据付板１は、室内ユニット２０の幅（室内ユニット２０の高さ方向の寸法）とは大きくは異ならず、そのため幅方向への移動は少ないが、長手方向への寸法差が大きく、長手方向へは移動し易いので、特に、据付板１の長手方向へのずれの発生を優先的に抑制することで、構成を簡素にしながらも、一段と確実に室内ユニット２０側に傷、割れ、破損を防止することができる。
【００１４】
請求項３に記載の空調室内機によれば、前記突起はネジ５としているので、据付板１へのネジ５の取り付けや、据え付け時での据付板１からのネジ５の取り外しが容易であり、ネジ５を取り外せば長手方向へは移動し易くなるので、作業性を向上させることができる。また、開梱後は、ネジ５を取り外して他の用途に用いることができる。
【００１５】
請求項４に記載の空調室内機によれば、前記ネジ５は、リモコンのホルダーを壁や柱へ固定するためのネジ、あるいは前記据付板１に室内ユニット２０を固定するためのネジなどのように、空調室内機にとって必要な部品としてのネジとしているので、据付板１の固定用の専用のネジを不要にでき、そのため、部品点数の削減ができ、コストダウンを図ることができる。また、ネジの種類を削減できるので、在庫管理も容易となる。
【００１６】
請求項５に記載の空調室内機によれば、前記ネジ５は、梱包前の別工程で予め据付板１に取り付けられているので、梱包時においては、据付板１へのネジ５の取り付けの工程を省略でき、そのため、作業工数が削減でき、コストダウンを図ることができる。
【００１７】
請求項６に記載の空調室内機によれば、前記受け溝は、複数のリブ１１の間で構成しているので、任意のリブ１１の間にネジ５を挿入すれば良く、据付板１の取り付けのための位置精度を不要とし、梱包での作業性を向上させることができる。
【発明を実施するための最良の形態】
【００１８】
以下、この発明の実施の形態を図面を参照して詳細に説明する。空調室内機の室内ユニットや、この室内ユニットを壁や柱に据え付けるための据付板自体の構成は周知な構成なので、詳細な説明は省略し、本発明の要旨について詳述していく。
【００１９】
図１は据付板１の正面図を示し、据付板１自体は周知のように板状で偏平な鋼板で形成されており、据付板１の両側には壁や柱に設置するためのネジ挿通用の取付穴２が複数穿孔してある。図１及び図２に示すように、据付板１の中央部分には舌片３が切り欠き形成されており、この舌片３にねじ穴４が螺刻されている。そして、このねじ穴４にネジ５を着脱自在に装着（螺着）するようにしている。なお、このネジ５は据付板１を固定するための専用ネジではなく、後述するように空調室内機用に別の使用用途を備えているネジである。
【００２０】
図３は室内ユニットの外殻の底部から背面側の一部を構成している底フレーム１０の背面図を示しており、図３及び図４に示すように、前記ネジ５の位置にほぼ対応した箇所に平板状のリブ１１を所定の間隔毎に一体的に突設している。図５には、リブ１１の拡大斜視図を示している。隣接するリブ１１間の寸法は、ネジ５の外径より若干大きく形成しており、据付板１を室内ユニットの底フレーム１０の上に載置した時に、ネジ５がリブ１１の間にスムーズに挿入可能な寸法としている。また、各リブ１１の先端部は、上方に向けて三角形状に先鋭に形成されており、ネジ５の挿入を容易、かつ確実に行なえるようになっている。なお、リブ１１の数は本実施形態では４個としているが、２個、３個あるいは５個以上としても良い。また、底フレーム１０の背面側は、全体のケーシングの背面よりは前方側に凹んでおり、リブ１１を突設していても、ケーシングの背面からは突出しない構造としている。
【００２１】
図６は室内ユニット２０を梱包する場合の図を示し、室内ユニット２０の底フレーム１０の背面側から予めネジ５を装着した据付板１を装着する。このとき、リブ１１とリブ１１の隙間に据付板１に締め付けてあるネジ５が入るように据付板１を室内ユニット２０（底フレーム１０）側に取り付ける。この状態を図７に示す。梱包状態で落下して据付板１が室内ユニット２０に対して図７の左右方向（室内ユニット２０の長手方向）にずれようとしても、据付板１のネジ５がリブ１１の壁面に当たって据付板１がずれるのを防止することができる。なお、図７の上下方向（室内ユニット２０の奥行き幅方向）に対しては、梱包材により前後から適度な圧力にて押さえられていて、室内ユニット２０や据付板１の前後方向の動きは規制されている。また、据付板１は、室内ユニット２０の幅（室内ユニット２０の高さ方向の寸法）とは大きくは異ならず、そのため幅方向への移動は少ないが、長手方向への寸法差が大きく、長手方向へは移動し易いので、特に、据付板１の長手方向へのずれの発生を優先的に抑制することで、構成を簡素にしながらも、一段と確実に室内ユニット２０側に傷、割れ、破損を防止することができる。
【００２２】
また、空調室内機の設置場所で開梱した後は、室内ユニット２０の据え付け時に据付板１に装着しているネジ５を外し（従来据付工事と同じ作業）、据付板１を従来と同様に壁や柱に据え付け、次に、据付板１に室内ユニット２０を取り付ける。この外したネジ５は、例えば、リモコンを装着しておくホルダーを壁や柱に取り付けるためのネジであり、あるいは、室内ユニット２０と据付板１との固定を強化するためのネジである。このように、本来的に必要な用途を有するネジ５を用いることで、廃棄するネジは無くなる。
【００２３】
すなわち、ホルダー取り付け用、あるいは室内ユニット２０の固定用のネジ５を予め据付板１に取り付けているものであり、開梱時に据付板１から外したネジ５を本来の用途に向けて使用するものである。なお、室内ユニット２０の固定用のネジの場合では、室内ユニット２０を据付板１あるいは壁や柱に確実に固定するために、長いネジを使用しているので、据付板１のずれを確実に防止することができる。
【００２４】
また、上記ネジ５の据付板１への取り付けは、室内ユニット２０等の梱包時ではなく、主たる組立ラインとは別の製造工程で予め取り付けておき、室内ユニット２０の梱包時にネジ５を取り付けた据付板１をそのまま梱包するものである。そのため、従来とは異なり、製造工程でのネジの装着作業が不要となり、作業工数の削減が図れて、コストダウンを図ることができる。また、他の用途のネジ５を据付板１のずれ防止用に用いているので、今まで専用のネジを用いていたのと比べて部品点数を削減でき、コストダウンを図ることができる。また、また、ネジの種類を削減できるので、在庫管理も容易となる。
【００２５】
更には、複数、例えば４つのリブ１１を設けて、この任意のリブ１１の間にネジ５を挿入すれば良く、据付板１の取り付けのための精度を不要とし、梱包での作業性を向上させることができる。また、リブ１１とリブ１１の間に挿入する部材として、ネジ５を用いているので、据付板１へのネジ５の取り付けや、据え付け時での据付板１からのネジ５の取り外しが容易であり、作業性を向上させることができる。
【００２６】
なお、据付板１のネジ５の取り付け位置や底フレーム１０のリブ１１の位置は図示例に限られるものではなく、任意の位置に設けるようにしても良いのはもちろんである。また、ネジ５は舌片３に装着するようにしているが、舌片３を形成せずに、底フレーム１０自体の任意の箇所にねじ穴４を設け、このねじ穴４にネジ５を装着するようにしても良い。
【図面の簡単な説明】
【００２７】
【図１】本発明の実施の形態における据付板の正面図である。
【図２】本発明の実施の形態におけるネジを据付板の舌片に取り付けた状態を示す要部拡大斜視図である。
【図３】本発明の実施の形態における底フレームの背面図である。
【図４】本発明の実施の形態における底フレームと据付板との要部斜視図である。
【図５】本発明の実施の形態における説明図である。
【図６】本発明の実施の形態における底フレームに据付板を取り付ける場合の説明図である。
【図７】本発明の実施の形態における据付板に装着しているネジを底フレームのリブとリブとの間に入れた状態を示す図である。
【符号の説明】
【００２８】
１・・据付板、５・・ネジ、１０・・底フレーム、１１・・リブ、２０・・室内ユニット
【図１】
2008106963.tif 000003
【図２】
2008106963.tif 000004
【図３】
2008106963.tif 000005
【図４】
2008106963.tif 000006
【図５】
2008106963.tif 000007
【図６】
2008106963.tif 000008
【図７】
2008106963.tif 000009